(57)【特許請求の範囲】
【請求項１】
支持枠体と、該支持枠体に支持され少なくとも遊技盤及び遊技球発射機構を備えた遊技
機本体と、該遊技機本体の左右幅方向に延設されるとともに遊技球を前記遊技球発射機構
に向けて誘導する誘導部が形成された受け皿と背面プレートを有する球受けユニットとを
備え、該球受けユニットは前記遊技機本体に対して開閉可能な遊技機であって、遊技球を
前記誘導部によって前記遊技球発射機構方向に誘導して前記遊技盤面に発射するようにし
た遊技機において、
前記誘導部には遊技球を整列させて前記遊技球発射機構に向けて誘導する狭窄通路が形
成され、
前記受け皿の上面に遊技球を受ける球受け部を備え、
該球受け部で少なくとも前記狭窄通路の一部分の上方を覆い、該覆った狭窄通路部分へ
の遊技球の落下を防止するとともに前記球受け部上の遊技球を前記誘導部側に誘導するよ
うにし、
前記球受け部を前記受け皿とは別体で形成したことにより、前記覆った狭窄通路部分の
上方を開放可能とし、
前記球受け部は、前記背面プレートと前記受け皿とで支持されており、
前記球受けユニットを前記遊技機本体に対して閉じているときは、前記背面プレートの
裏面側から取付けられ、前記球受け部を前記球受けユニットから分離不能にする固着部材
が取り外し不能であることを特徴とする遊技機。
【発明の詳細な説明】
【技術分野】
【０００１】
本発明は遊技機に関するものである。
【背景技術】
【０００２】
遊技機の一種である例えばパチンコ機においては一般に操作ハンドルは遊技盤の下方で
あって右側寄りに配置されている。また、近年遊技球発射機構を操作ハンドルの裏面では
なくパチンコ機本体の下方左側寄りに配設する機種が開発されている。このような機種で
は遊技球発射機構を直接操作ハンドルの裏面に配設する場合に比べ発射レールを遊技盤の
下方に配設する必要がなくなるため遊技盤を大きくすることができる等のメリットがある
。
【発明の開示】
【発明が解決しようとする課題】
【０００３】
これら遊技機の球受け台に遊技球を受けるための球受け部を別体で配設する場合がある
。そのような遊技機では、遊技球を球受け部に落下させ、球受け部から誘導傾斜面に誘導
した後、遊技球発射機構に導くような構造となっている。球受け台は不要な際には取り外
し、必要に応じて取り付けるようになっているものの、簡単に取り外すことができるよう
ではいたずらで遊技者に外されてしまう場合もありうる。
本発明は、このような従来の技術に存在する問題点に着目してなされたものである。そ
の目的とするところは、球受け台の上面に取り外し可能に球受け部を配設しても簡単に取
り外すことができない遊技機を提供することにある。
【課題を解決するための手段】
【０００４】
上記の目的を達成するために、請求項１に記載の発明では、支持枠体と、該支持枠体に
支持され少なくとも遊技盤及び遊技球発射機構を備えた遊技機本体と、該遊技機本体の左
右幅方向に延設されるとともに遊技球を前記遊技球発射機構に向けて誘導する誘導部が形
成された受け皿と背面プレートを有する球受けユニットとを備え、該球受けユニットは前
記遊技機本体に対して開閉可能な遊技機であって、遊技球を前記誘導部によって前記遊技
球発射機構方向に誘導して前記遊技盤面に発射するようにした遊技機において、
前記誘導部には遊技球を整列させて前記遊技球発射機構に向けて誘導する狭窄通路が形
成され、前記受け皿の上面に遊技球を受ける球受け部を備え、該球受け部で少なくとも前
記狭窄通路の一部分の上方を覆い、該覆った狭窄通路部分への遊技球の落下を防止すると
ともに前記球受け部上の遊技球を前記誘導部側に誘導するようにし、前記球受け部を前記
受け皿とは別体で形成したことにより、前記覆った狭窄通路部分の上方を開放可能とし、
前記球受け部は、前記背面プレートと前記受け皿とで支持されており、前記球受けユニッ
トを前記遊技機本体に対して閉じているときは、前記背面プレートの裏面側から取付けら
れ、前記球受け部を前記球受けユニットから分離不能にする固着部材が取り外し不能であ
ることをその要旨とする。
【０００５】
請求項１の発明のように構成すると、球受け部に落下した遊技球は誘導部を介して遊技球
発射機構方向に誘導される。球受け部は受け皿とは別体で構成されているため使用しない
場合には取り外しておくことが可能である。そして球受け部の固着部材は球受けユニット
の裏面にあるため球受けユニットを開放しない限り球受け部の固着部材は取り外すことは
できない。
【発明の効果】
【０００６】
請求項１に記載の発明では、球受け部は受け皿とは別体で構成されているため使用しな
い場合には取り外しておくことが可能である。そして球受け部の固着部材は球受けユニッ
トの裏面にあるため球受けユニットを開放しない限り球受け部の固着部材は取り外すこと
はできず、いたずらによって取り外されてしまうことはない。
【発明を実施するための最良の形態】
【０００７】
以下、本発明をパチンコ機に応用した実施の形態について図面に基づいて説明する。尚、
以下の説明で前面側或いは表面側とは遊技者が正対する側をいい、背面側或いは裏面側と
はその反対側をいうものとする。また、左右とは遊技者側から見ての左右方向をいう。図
１〜図３に示すように、パチンコ機の支持枠体としての外枠１は上下左右の各枠板１ａ〜
１ｄによって四角形に枠組みされた木製の枠体とされ、下部枠板１ｃ上面には幕板２が配
設されている。図２に示すように、外枠１にはパチンコ機本体４が装着されている。パチ
ンコ機本体４は前枠１１と同前枠１１に装着された遊技盤１２とを備えている。図１に示
すように、遊技盤１２の前面にはほぼ垂直に配置された遊技面１３が形成されている。遊
技面１３上には内レール１６、外レール１７、入賞口１８及び可変表示装置１９等が所定
位置に配置された遊技領域１４が形成されている。図２に示すように、遊技盤１２の裏面
側には可変表示装置１９や賞球の排出等を制御する遊技機構２０が配設されている。図１
及び図２に示すように、遊技機構２０の下方であって左端寄りには電磁ソレノイド２２を
駆動源とする遊技球発射機構２３が配設されている。図１に示すように、前枠１１の前面
にはガラス扉枠３１が開閉可能に配設されている。ガラス扉枠３１には額縁状に形成され
た窓穴３４が形成されており、同窓穴３４にはガラス板３１ａが嵌め込まれている。
【０００８】
ガラス扉枠３１の下方には球受け台としての上部カバープレート３５が装着されている
。上部カバープレート３５は前枠１１に対して図示しないヒンジ金具によって片持ち支持
され同前枠１１に対して開閉可能とされている。上部カバープレート３５の上面を覆うよ
うに球受け部としてのサブプレート３７が装着されている。上部カバープレート３５及び
サブプレート３７については詳しく後述する。上部カバープレート３５の下方には下部カ
バープレート３８が配設されている。下部カバープレート３８は前枠１１に対して固着さ
れている。下部カバープレート３８は前方に突出した下受け皿３９を有している。下受け
皿３９は主として上受け皿３５に貯留しきれなかった遊技球を貯留するものである。下受
け皿３８の右側方には操作ハンドル４０が取付けられている。
【０００９】
次に図１〜３及び図５〜図１０に基づいて、上部カバープレート３５及びサブプレート
３７周辺の構造について更に詳しく説明する。上部カバープレート３５は左右方向に延設
された略長方形形状の背面プレート４１によって前記のように前枠１１に対して開閉可能
に片持ち支持されている。図１に示すように背面プレート４１には賞球が排出される排出
口４２と、図７に示すように遊技球発射機構２３に遊技球を導く遊技球導入口４３が形成
されている。尚、賞球は排出された状態で遊技球として利用されるため以後排出された賞
球も含め遊技球と呼称する。背面プレート４１には前方に突出する上受け皿４４が装着さ
れている。上受け皿４４は内部が中空に構成された本体４５と同本体４５上部を覆う第１
の誘導部としての第１の遊技球誘導面４７とより構成されている。第１の遊技球誘導面４
７は排出口４２に面した側（右側）が高く遊技球導入口４３側（左側）ほど低く形成され
ている。第１の遊技球誘導面４７上面において排出口４２前面には遊技球が排出口４付近
に滞らずに広がるように広場４８が形成されている。広場４８は遊技球導入口４３側に向
かっては徐々に狭まって狭窄通路５０に連通されている。狭窄通路５０は背面プレート４
１と第１の遊技球誘導面４７の後方の張り出し壁４９に前後から挟まれた領域であって、
同狭窄通路５０においてパチンコ球は同狭窄通路５０に一列に配列されることとなる。狭
窄通路５０は遊技球導入口４３につながっている。
【００１０】
図１、図３、図４及び図８〜図１０に示すように、本体４５左部に形成された切り欠き
４５ａからプッシュボタン５２が上方に露出されている。プッシュボタン５２はその裏面
において取り付けブラケット５３に対して上下方向に回動可能に取着されている。取り付
けブラケット５３は本体４５に固着されている。プッシュボタン５２の下方であって取り
付けブラケット５３にはロッド５４が回動可能に取着されている。ロッド５４にはプッシ
ュボタン５２の裏面に当接するサブロッド５５が形成されている。ロッド５４は回動軸に
取着されたコイルスプリング５６によって図９において時計回り方向に付勢されており、
無負荷状態（押してない状態）においてプッシュボタン５２はサブロッド５５によって押
圧され上方に向かって回動されている。ロッド５４下端寄りには上下方向に延びる長孔５
４ａが形成されており、同長孔５４ａにスライダ５８のピン５８ａが挿入されている。ス
ライダ５８は前後方向にスライドを許容するスライドレール６０に嵌合されている。スラ
イダ５８には蓋片５９が裏面に向かって突設されている。蓋片５９はプッシュボタン５２
が上位置にある場合（図９の状態）には背面プレート４１後方の遊技球発射機構２３に遊
技球を導くように下受け皿連通路６２を封塞する。一方、プッシュボタン５２が押されて
下位置になった場合（図１０の状態）にはバイパス通路となる下受け皿連通路６２を開放
し、遊技球の下受け皿連通路６２方向への落下を許容する。これらプッシュボタン５２、
ロッド５４、蓋片５８及び蓋片５８等によって上受け皿４４に溜まったパチンコ球を下部
カバープレート３８の下受け皿３９に排出するためのパチンコ球排出機構５１が構成され
ている。
【００１１】
次に、サブプレート３７について説明する。図３に示すように、サブプレート３７は上
受け皿４４の第１の遊技球誘導面４７の広場４８のみを残してほぼ左半分に渡って第１の
遊技球誘導面４７の上面を覆っている。すなわちサブプレート３７は上受け皿４４に重複
配置されている。図３、図５及び図７に示すように、サブプレート３７は背面プレート４
１の前面に当接される第１の背面壁６５と同背面壁６５と平行かつ段違いに前方に配設さ
れた第２の背面壁６４を備えている。両背面壁６４，６５の前面には本体４５の輪郭形状
に沿った曲面を有する前面壁６６が配設されている。第１の背面壁６５と前面壁６６は左
端で連結壁６７によって連結され、第２の背面壁６４先端から前面壁６６方向には短く延
びるガイド壁６８が配設されている。これら各壁６４〜６８によって枠構造が構成されて
いる。前面壁６６には上方に延びる跳び出し防止壁６６ａが形成されており、他の壁６４
，６５，６７，６８よりも背高に形成されている。各壁６４〜６８の下端縁に沿って第２
の誘導部としての第２の遊技球誘導面６９が形成されている。第２の遊技球誘導面６９は
連結壁６７側が高く先端側（右側）ほど低く形成されている。図４〜図６に示すように、
第２の背面壁６４と前面壁６６とを比較すると前面壁６６のほうが長く、かつ両者の最先
端位置の高さも前面壁６６のほうが低く形成されている。そのため、第２の遊技球誘導面
６９は連結壁６７から第２の背面壁６４までの傾斜がほぼ一定の普通傾斜面６９ａと、背
面壁６５から更に前面壁６６先端に向かっては左右方向に傾斜するとともに前後方向にも
傾斜した曲面を持った立体傾斜面６９ｂとの二種の傾斜面で構成される。立体傾斜面６９
ｂは前面壁６６寄り先端（つまり前方）で第１の遊技球誘導面４７と当接し、第１の背面
壁６５寄り先端（つまり後方の狭窄通路５０のほぼ形成開始位置）付近では第１の遊技球
誘導面４７との間に空間が形成されるような角度付けとされている。サブプレート３７を
上受け皿４４に装着した状態において第２の背面壁６４と背面プレート４１の前面との隙
間は狭窄通路５０の幅とほぼ同幅とされている。
【００１２】
このような構成のサブプレート３７は上受け皿４４の背面プレート４１及び本体４５に支
持されている。サブプレート３７の背面壁６５には取り付けブラケット７１が形成され、
前面壁６６の下端には鉤状部７５が折り曲げ形成された挿入片７２下方に向かって突設形
成されている。図７に示すように、サブプレート３７の同挿入片７２は本体４５の第１の
挿入孔７３に挿入され、取り付けブラケット７１は背面プレート４１の第２の挿入孔７４
に挿入されている。取り付けブラケット７１はボルト７６によって背面プレート４１に固
定されている。挿入片７２は第１の挿入孔７３に挿入された状態で鉤状部７５が挿入孔７
３周縁に係合している。
【００１３】
次に、このように構成された上記実施の形態のパチンコ機の作用について説明する。図１
に示すように、パチンコ機の左側面には左側枠板１ｂに接して遊技球払い出し装置７８が
配設されている。遊技者は配球ノズル７９を操作してその排出口をちょうどサブプレート
３７の第２の遊技球誘導面６９上、つまりパチンコ機の左右方向全体で見た場合に左端寄
りに貸し出し遊技球が落下するようにする。配球ノズル７９から落下した遊技球は第２の
遊技球誘導面６９の上面にて受けられ同誘導面６９上を低い方、すなわち右側に向かって
転動する。このとき前面壁６６の跳び出し防止壁６６ａによって落下した遊技球の跳ね返
りが確実に防止される。落下した遊技球は普通傾斜面６９ａにおいて右方向に向かって転
動していくとともに立体傾斜面６９ｂでは同立体傾斜面６９ｂが前方向に低くなるように
傾斜しているため斜め前方に転動することとなる。また、ガイド壁６８によって進行を阻
まれた遊技球も立体傾斜面６９ｂを斜め前方に転動することとなる。転動した遊技球は上
受け皿４４の（第１の遊技球誘導面４７）広場４８に送り込まれる。ここで第１の遊技球
誘導面４７は第２の遊技球誘導面６９と逆方向（左方向）に低くなるように構成されてい
るため、右方向に加速させられた遊技球は方向転換して左方向に転動する。遊技球は狭窄
通路５０から下受け皿連通路６２を介して遊技球発射機構２３に導かれていく。狭窄通路
５０内では一列、一段できれいに遊技球が整列する。
【００１４】
ここでもし、狭窄通路５０以降において球詰まりが生じた場合には狭窄通路５０上方か
ら球を押動してきちんと整列させる。また、上受け皿４４に遊技球がいっぱいになった場
合にはそれも球詰まりの原因となるためプッシュボタン５２を押す。すると、ロッド５４
が回動し、それに従動して下受け皿連通路６２を閉塞している蓋片５８がスライドレール
６０に案内されて前方に移動する（図１０参照）。これによって下受け皿連通路６２が開
放されるため遊技球は下受け皿連通路６２方向へ落下し、球詰まりが確実に解消される。
【００１５】
このように構成することにより本実施の形態は次のような効果を奏する。
（１）配球ノズル７９から遊技球が落下した場合にサブプレート３７がなければ直接上受
け皿４４の第１の遊技球誘導面４７上面で受けることとなる。すると、配球ノズル７９か
ら払い出される遊技球は遊技球導入口４３付近に落下することとなり、この狭い部分に遊
技球が集中し球詰まりの原因となる。また、第１の遊技球誘導面４７の低い位置で落下す
る遊技球を受けることとなるため落下した球の勢いが強く第１の遊技球誘導面４７で跳ね
返って外に飛び出してしまう可能性もある。ところが、上記のようにサブプレート３７を
設けて遊技球を第１の遊技球誘導面４７の高い位置まで誘導するため球詰まりが生じにく
くなる。更に、配球ノズル７９からサブプレート３７まではサブプレート３７がない場合
に比べて高い位置にあるため落下した球の勢いはそれほどではなく、跳ね返って飛び出す
ことがない。
【００１６】
（２）狭窄通路５０はサブプレート３７に覆われず露出しているため球詰まり等の不具合
が生じた場合には直接遊技球を押動して直すことが可能となる。
（３）サブプレート３７は着脱可能であるのでＣＲ機のように遊技球払い出し装置７８を
利用しない場合はサブプレート３７を取り外せばそのままよく、コストの削減となる。サ
ブプレート３７はボルト７５によって背面プレート４１に容易に固定できる一方、一旦固
定すると正面側からは外せないのでいたずらにサブプレート３７を取り外すことはできな
い。
（４）遊技球は第２の遊技球誘導面６９において立体傾斜面６９ｂを伝い徐々に第１の遊
技球誘導面４７の広場４８に至るようになっており、一挙に第２の遊技球誘導面６９から
第１の遊技球誘導面４７上に落下することはない。そのため、遊技球の移動による音がそ
れほど大きなものではなくなる。
（５）サブプレート３７は立体傾斜面６９ｂの前面壁６６寄りで第１の遊技球誘導面４７
と当接しているためしっかりと三点支持されることとなり、片持ちにならず丈夫である。
【００１７】
尚、この発明は、次のように変更して具体化することも可能である。
・図１１（ａ）及び（ｂ）に示すように、サブプレート３７の全周を立ち上げ壁８１で包
囲し、右寄りに落下孔８２を形成し、この落下孔８２から第１の遊技球誘導面４７上に遊
技球を落下させるように構成してもよい。本実施の形態では落下孔８２に向かって傾斜す
る第３の誘導傾斜面８３が形成されている。落下孔８２の大きさは一挙に遊技球が落ちな
い程度の大きさで構成されている。立ち上げ壁８１はサブプレート３７を上受け皿４４上
に装着した状態で前面側が背高に構成されている。尚、取り付けブラケット７１及び挿入
片７２の構成は上記実施の形態と同一である。
・図１２（ａ）及び（ｂ）に示すように、脱着可能なサブプレート３７ではなく上受け皿
４４と一体的に球受け部８５を形成するようにしてもよい。この場合には上受け皿４４に
遊技球を遊技球発射機構２３に導くため元来設けられる第１の遊技球誘導面４７の他に第
１の遊技球誘導面４７の右方向（高い方）に遊技球を導くための第２の遊技球誘導面６９
を設ける。
・図１２（ａ）に示すように、配球ノズル７９（ここでは図示省略）から第２の遊技球誘
導面６９の左方寄りに落下した遊技球は右方向に転動していき、第１の遊技球誘導面４７
と合流する。第１の遊技球誘導面４７が右から左方に向かって低くなる傾斜とされている
ため、遊技球は合流後方向転換して遊技球発射機構２３方向（左方）に導かれる。このよ
うに構成しても上記（１）の効果を奏することとなる。
・上記実施の形態では狭窄通路５０上方は開放されていたが、これをサブプレート３７の
第２の遊技球誘導面６９で完全に覆ってしまっても構わない。この場合、狭窄通路５０の
上方からの遺物の落下を防止できるので、遊技球が詰まるのを防止できる。さらに、覆っ
た部分を透明部材で形成してもよい。この場合、狭窄通路５０の状態が視認可能である。
・サブプレート３７の高低差は上記実施の形態では普通傾斜面６９ａと立体傾斜面６９ｂ
によって実現されていたが、これを例えば階段状にしてもよい。これら以外にも第２の遊
技球誘導面６９の形状は適宜変更可能である。
・上記実施の形態ではサブプレート３７は上受け皿４４とは別体で構成していたが、これ
を上受け皿４４の一部として一体的に形成しても構わない。要は一旦遊技球が遊技球導入
口４３から離間する方向（言い換えれば遊技球発射機構２３が配置されている側と反対側
）に移動できればよいからである。
・サブプレート３７は立体傾斜面６９ｂの前面壁６６寄りで必ずしも第１の遊技球誘導面
４７と当接していなくともよい。
・第２の遊技球誘導面６９を上受け皿４４の奥側に配置し、第１の遊技球誘導面４７を上
受け皿４４の手前側に配置してもよい。この場合、配球ノズル７９からの球が跳ねても上
受け皿４４の受ける範囲内に落下するため、上受け皿４４から飛び出すことはない。
・上受け皿４４や遊技盤１２やガラス扉枠３１等の形状や上受け皿４４の第１の遊技球誘
導面４７の形状は適宜変更可能である。
・本発明はパチンコ機以外にもアレパチ、アレンジボール等の遊技機にも応用可能である
等その他、本発明の趣旨を逸脱しない態様で実施することは自由である。
【００１８】
上記実施の形態から把握できる本発明のその他の技術的思想について下記に付記として
説明する。
（１） 前記遊技機は、前記遊技球払い出し装置が配設されている側寄りに前記遊技球発
射機構が設けられている請求項１に記載の遊技機。
（２） 前記遊技機は、前記球受け台の上方に落下孔を形成するとともに同落下孔に向か
って傾斜する傾斜面を形成した球受け部を重複配置し、同落下孔から同遊技球が前記第１
の誘導部上に落下するようにした請求項１又は付記１に記載の遊技機。
（３） 前記第１の誘導部上には少なくとも前記第２の誘導部の一部が当接していること
を特徴とする請求項１又は付記１〜２のいずれかに記載の遊技機。
（４） 前記球受け部は着脱可能である請求項１又は付記１〜３のいずれかに記載の遊技
機。
（５） 前記球受け部には前記配球ノズルから落下した遊技球が跳ね返って同球受け部外
部に飛び出すのを防止するガードが形成されている請求項１又は付記１〜４のいずれかに
記載の遊技機。
（６） 前記球受け部が前記第１の誘導部の上方を覆う様にした請求項１又は付記１〜５
のいずれかに記載の遊技機。
（７） 前記球受け部の全部又は一部が透明である請求項１又は付記１〜６のいずれかに
記載の遊技機。
（８） 遊技機前面側に球受け台を設け、該球受け台の球受け面側には複数の球誘導部を
設けたことを特徴とする遊技機。
（９） 遊技機前面側に球受け台を設け、該球受け台の球受け面側には複数の球誘導部を
設け、それらのうち一の球誘導部と他の球誘導部との傾斜方向を異ならせたことを特徴と
する遊技機。
（１０） 前記複数の球誘導部のうち所定の球誘導部を機外からの遊技球用とし、他の所
定の球誘導部を機内からの遊技球用とした付記８又は９記載の遊技機。
（１１） 前記機内からの遊技球用の球誘導部を、前記機外からの遊技球用の球誘導部よ
りも手前側に配置した付記１０記載の遊技機。
（１２） 前記機外からの遊技球用の球誘導部を、前記機内からの遊技球用の球誘導部よ
りも手前側に配置した付記１０記載の遊技機。
（１３） 前記球誘導部は一対設けられている付記８〜１２のいずれかに記載の遊技機。
（１４） 前記各球誘導部は、球受け台に一体形成した付記８〜１３のいずれかに記載の
遊技機。
（１５） 前記各球誘導部間にはそれら球誘導部同士を仕切る仕切部が設けられている手
段１乃至７のいずれかに記載の遊技機。
（１６） 遊技機前面側に球受け台を設け、該球受け台の幅方向一側に遊技球払出口を設
ける一方、幅方向他側に球発射装置への投入口を設け、前記球受け台の第１の誘導部を払
出口側から投入口側へ傾斜させてなる遊技機において、前記球受け台の第１の誘導部とは
異なる方向へ傾斜させた第２の誘導部を設け、第１の誘導部よりも奥側に第２の誘導部を
配置したことを特徴とする遊技機。
（１７） 第２の誘導部を投入口側から払出口側へ傾斜させ、第２の誘導部に受けられた
遊技球は一旦払出口側へ導かれた後、第１の誘導部に受け渡されるように、第１の誘導部
と第２の誘導部とを払出口側で連通付記１６記載の遊技機。
（１８） 前記第１の誘導部と第２の誘導部との間は幅方向に延びる突条によって区画さ
れている付記１６又は１７記載の遊技機。
（１９） 前記第２の誘導部の最高位置は第１の誘導部と第２の誘導部との連通部位より
も高くなる位置に形成されている付記１７又は１８記載の遊技機。
【図面の簡単な説明】
【００１９】
【図１】本発明の実施の形態のパチンコ機の正面図。
【図２】同じく側面図。
【図３】サブプレートを装着した状態の平面図。
【図４】サブプレートを取り去った状態の平面図。
【図５】サブプレートの斜視図。
【図６】サブプレートの正面図。
【図７】図３のＡ−Ａ線における上部カバープレート部分の断面図。
【図８】パチンコ球排出機構を説明する背面図。
【図９】同じパチンコ球排出機構を説明する側面図。
【図１０】同じパチンコ球排出機構を説明する側面図。
【図１１】他の実施の形態のサブプレートであって、（ａ）は平面図（ｂ）はＢ−Ｂ線における断面図。
【図１２】他の実施の形態のサブプレートを上受け皿に装着した図であって、（ａ）は平面図（ｂ）はＣ−Ｃ線における断面図。
【符号の説明】
【００２０】
１…支持枠体としての外枠、４…遊技機本体、１２…遊技盤、２３…遊技球発射機構、
３７…球受け部としてのサブプレート、４０…操作ハンドル、４７…第１の誘導部として
の第１の遊技球誘導面、６９…第２の誘導部としての第２の遊技球誘導面、７８…遊技球
払い出し装置、７９…配球ノズル。
【図１】
0004096876.tif 000002
【図２】
0004096876.tif 000003
【図３】
0004096876.tif 000004
【図４】
0004096876.tif 000005
【図５】
0004096876.tif 000006
【図６】
0004096876.tif 000007
【図７】
0004096876.tif 000008
【図８】
0004096876.tif 000009
【図９】
0004096876.tif 000010
【図１０】
0004096876.tif 000011
【図１１】
0004096876.tif 000012
【図１２】
0004096876.tif 000013